(57)【要約】【課題】液晶プロジェクタ装置にて用いられる液晶表示装置において、液晶表示パネルとは別に駆動用ＩＣを設けたチップ・オン・グラス（ＣＯＧ）構造であっても、その駆動用ＩＣの温度上昇を有効に抑制し、その温度上昇に起因する誤動作、画質劣化、信頼性低下等を防止する。【解決手段】液晶表示パネル１０と、前記液晶表示パネル１０を駆動するために当該液晶表示パネル１０の構成基板１１上に配設された駆動用ＩＣ１５と、前記駆動用ＩＣ１５と電気的に接続されたフィルム基板１４とを備えて、液晶表示装置を構成する。そして、前記駆動用ＩＣ１５がダミーバンプ１６ａを有し、前記ダミーバンプ１６ａが前記基板１１上で放熱手段として機能するダミーパッド１８ａ，１９ａと接続し、さらに前記ダミーパッド１９ａが前記フィルム基板１４上で放熱手段として機能するダミーリード１４ｄと接続するように構成する。【選択図】図４
2006018136.tif 000002
【特許請求の範囲】
【請求項１】
拡大投影画像を表示する液晶プロジェクタ装置にて用いられ、当該液晶プロジェクタ装置が有する光源からの照射光に対する光変調を行うための液晶表示装置であって、
ＴＦＴ基板と対向基板との間に液晶を挟持してなる液晶表示パネルと、
前記液晶表示パネルを構成するいずれかの基板上に当該基板が有するパッドを介して配設された、当該液晶表示パネルを駆動するための駆動用ＩＣと、
前記パッドを介して前記駆動用ＩＣと電気的に接続されたフレキシブルなフィルム基板とを備えるとともに、
前記駆動用ＩＣは、少なくとも１つのダミーバンプを有しており、
前記ダミーバンプは、前記パッドのうちで放熱手段として機能するダミーパッドと接続されており、
さらに、前記ダミーパッドは、前記フィルム基板が有する複数のリードのうちで放熱手段として機能するダミーリードと接続されている
ことを特徴とする液晶表示装置。
【請求項２】
前記ダミーリードは、前記複数のリードのうちの他のリードよりも平均線幅が大きく形成されている
ことを特徴とする請求項１記載の液晶表示装置。
【請求項３】
前記フィルム基板は、ベースフィルム上に前記複数のリードが形成されるとともに、前記ダミーリードを除く部分がカバーフィルムに覆われてなる
ことを特徴とする請求項１記載の液晶表示装置。
【請求項４】
前記液晶表示パネルを支持する支持部材と当該液晶表示パネルの有効画素部分以外への光の入射を遮る遮光板との少なくとも一方を備えるとともに、前記ダミーリードが前記支持部材または前記遮光板と接触している
ことを特徴とする請求項１記載の液晶表示装置。
【請求項５】
前記ダミーリードは、熱伝導性樹脂を介して前記支持部材または前記遮光板と接触している
ことを特徴とする請求項４記載の液晶表示装置。
【発明の詳細な説明】
【技術分野】
【０００１】
本発明は、液晶プロジェクタ装置にて用いられる液晶表示装置に関する。
【背景技術】
【０００２】
近年、光源から出射された光を、液晶表示装置を用いて選択的に透過させ、その透過光をスクリーン上に投写することで、大画面の画像表示を実現する、いわゆる液晶プロジェクタ装置が利用されつつあるが、このような液晶プロジェクタ装置に用いられる液晶表示装置は、その駆動回路を内蔵したものが一般的である。斯かる液晶表示装置では、薄膜トランジスタ（Thin Film Transistor；以下「ＴＦＴ」と略す）として、アモルファスシリコン膜ではなく、より電子移動度の高いポリシリコン膜を用いたものが多く、高温ポリシリコンの移動度が高いためである。
【０００３】
ところが、液晶プロジェクタ装置用途の液晶表示装置に対しては、より一層の高精細化、高開口化、低コスト化等の要求が高まりつつある。このことから、液晶プロジェクタ装置用途の液晶表示装置においても、液晶プロジェクタ装置用途以外の液晶表示装置と同様に、駆動回路を内蔵するのではなく、外付けとすることが提案されている（例えば、特許文献１参照）。すなわち、有効画素を構成する液晶表示パネル部分とは別に、その液晶表示パネルを駆動するための駆動用ＩＣを設けることで、その液晶表示パネルにおける有効画素エリアの増大化や同一基板から取得できる液晶表示パネル部分の数を増加等を可能とし、これにより高精細化、高開口化、低コスト化等の要求への対応を実現するのである。
【０００４】
【特許文献１】特開２００３−３３２５８５号公報
【発明の開示】
【発明が解決しようとする課題】
【０００５】
しかしながら、液晶表示装置を液晶プロジェクタ装置にて用いる場合には、その液晶表示装置の液晶表示パネル部分に対して、例えば白色光換算で約４０００万ルクス程度の強い光が入射する。このような強い光の入射は、その液晶表示パネル部分の周辺の温度上昇、特に駆動用ＩＣの温度上昇を招く要因となり得る。また、駆動用ＩＣ自体も、その動作（通電）に伴って発熱することが考えられる。このような駆動用ＩＣにおける温度上昇は、駆動の誤動作、当該誤動作や温度上昇に起因する表示画像の画質劣化、液晶表示装置自体の信頼性低下等を招くおそれがある。
【０００６】
そこで、本発明は、高精細化、高開口化、低コスト化等の要求に応えるべく、液晶表示パネル部分とは別にその駆動回路として機能する駆動用ＩＣを設けた場合であっても、その駆動用ＩＣの温度上昇を有効に抑制して、その温度上昇に起因する誤動作、画質劣化、信頼性低下等を防止することのできる液晶表示装置を提供することを目的とする。
【課題を解決するための手段】
【０００７】
本発明は、上記目的を達成するために案出された液晶表示装置である。すなわち、拡大投影画像を表示する液晶プロジェクタ装置にて用いられ、当該液晶プロジェクタ装置が有する光源からの照射光に対する光変調を行うための液晶表示装置であって、ＴＦＴ基板と対向基板との間に液晶を挟持してなる液晶表示パネルと、前記液晶表示パネルを構成するいずれかの基板上に当該基板が有するパッドを介して配設された、当該液晶表示パネルを駆動するための駆動用ＩＣと、前記パッドを介して前記駆動用ＩＣと電気的に接続されたフレキシブルなフィルム基板とを備えるとともに、前記駆動用ＩＣは、少なくとも１つのダミーバンプを有しており、前記ダミーバンプは、前記パッドのうちで放熱手段として機能するダミーパッドと接続されており、さらに、前記ダミーパッドは、前記フィルム基板が有する複数のリードのうちで放熱手段として機能するダミーリードと接続されていることを特徴とするものである。
【０００８】
上記構成の液晶表示装置では、液晶表示パネルがその液晶表示パネルとは別体に基板上に配設された駆動用ＩＣによって駆動され、その駆動により液晶表示パネルが液晶プロジェクタ装置が有する光源からの照射光を選択的に透過させてその照射光に対する光変調を行う。ただし、駆動用ＩＣは、少なくとも１つのダミーバンプが、基板上で放熱手段として機能するダミーパッドに接続されており、さらにそのダミーパッドはフィルム基板上で放熱手段として機能するダミーリードに接続されている。ここで、「ダミーバンプ」とは、駆動用ＩＣによる液晶表示パネルの駆動には必要のないバンプのことをいうが、少なくとも１つあればよいことから、複数設けられていてもよい。また、「ダミーパッド」とは、液晶表示パネルの駆動に必要のないパッドのことをいい、「ダミーリード」とは、液晶表示パネルの駆動に必要のないリードのことをいう。さらに、「放熱手段として機能する」とは、ダミーパッド、ダミーリードが熱伝導性を有しており、それぞれにおける熱をその周辺大気や接触部材等に移動させ得ることをいう。したがって、上記構成の液晶表示装置によれば、駆動用ＩＣで生じた熱が、ダミーバンプを通じてダミーパッドに移動し、さらにそのダミーパッドからダミーリードに移動し、これらダミーパッドおよびダミーリードから放熱されるので、その駆動用ＩＣにおける温度上昇を抑制し得るようになる。
【発明の効果】
【０００９】
以上のように、本発明に係る液晶表示装置では、駆動用ＩＣにおける温度上昇を抑制し得るようになるので、高精細化、高開口化、低コスト化等の要求に応えるべく、液晶表示パネルとは別に駆動用ＩＣを設けた場合であっても、温度上昇に起因する駆動回路としての機能の誤動作を招いてしまうことがない。また、その誤動作による液晶表示パネルでの不適切な光変調、すなわち表示画像の画質劣化を招いてしまうことがなく、さらには駆動用ＩＣから液晶表示パネルへの伝熱による表示画像の画質劣化も抑制し得るようになる。これらのことから、本発明に係る液晶表示装置では、液晶表示パネルの駆動回路として機能する駆動用ＩＣの信頼性向上を図ることができるとともに、液晶表示装置自体の信頼性向上をも図ることができる。しかも、特段の構成要素の大幅増加等も不要なため、装置コストの上昇等を招くことなく、その信頼性向上が実現可能となる。
【発明を実施するための最良の形態】
【００１０】
以下、図面に基づき本発明に係る液晶表示装置について説明する。
【００１１】
はじめに、本発明に係る液晶表示装置の説明に先立ち、その液晶表示装置を用いた液晶プロジェクタ装置について説明する。液晶プロジェクタ装置としては、液晶表示装置がＲ（赤）色、Ｇ（緑）色およびＢ（青）色のそれぞれに対応して設けられた、いわゆる三板式のものが広く知られている。図１は、三板式の液晶プロジェクタ装置の概略構成例を示す模式図である。
【００１２】
図１に示すように、液晶プロジェクタ装置では、光源１から出射される光が、赤外線や紫外線をカットするフィルタ２ａ、フライアイレンズ２ｂ、無偏光波を偏光波に変換するＰＳ分離合成器２ｃを経た後に、特定の波長帯域の光だけを反射するダイクロイック・ミラー３によってＲＧＢの各色成分光に分離され、必要に応じて全反射ミラー４やコンデンサー・レンズ５を利用しつつ、ＲＧＢの各色に対応して設けられた液晶表示装置６Ｒ，６Ｇ，６Ｂに入射される。そして、各液晶表示装置６Ｒ，６Ｇ，６Ｂにて映像信号に応じた光変調が行われた後に、光変調された各色成分光がダイクロイック・プリズム７によって合成されて、投写レンズ８によって拡大投影される。このようにして、液晶プロジェクタ装置では、スクリーン上へのカラー画像の表示を行うようになっている。
【００１３】
次に、以上のような構成の液晶プロジェクタ装置にて用いられる液晶表示装置６Ｒ，６Ｇ，６Ｂ、すなわち本発明に係る液晶表示装置について説明する。図２〜７は、本発明に係る液晶表示装置の構成例を示す説明図である。
【００１４】
図２および図３に示すように、ここで説明する液晶表示装置は、液晶表示パネル１０と、フレーム２０と、遮光板３０とを備えている。このうち、フレーム２０は、液晶表示パネル１０の光の出射側に配されたもので、その液晶表示パネル１０を支持するための枠体となるものである。このようなフレーム２０としては、例えば熱伝導性に優れたアルミニウム（Ａｌ）、マグネシウム（Ｍｇ）、ステンレス（ＳＵＳ）等の金属部材、または同じく熱伝導性に優れた樹脂部材を、枠状に成形したものが挙げられる。また、遮光板３０は、液晶表示パネル１０の光の入射側に配されたもので、その液晶表示パネル１０の有効画素部分以外への光の入射を遮るためのものである。このような遮光板３０としては、有効画素部分に応じた形状の開口を、例えば熱伝導性に優れた金属板または樹脂板に形成したものが挙げられる。なお、光の入射方向は、逆であっても構わない。
【００１５】
また、液晶表示パネル１０は、ＴＦＴ基板１１と対向基板１２との間に液晶（ただし不図示）を挟持してなるものである。ＴＦＴ基板１１には、画素を構成する画素電極であるＴＦＴがマトリクス状に配列されている。一方、これと液晶を挟んで対向する対向基板１２には、対向電極またはコモン（共通）電極が配されている。このような構成により、液晶表示パネル１０では、対向した電極間に電圧を印加した場合に、液晶分子のダイレクタ配向方向が一方向になり、一軸性の複屈折率異方性を発現するので、透過光量を制御することができ、光源１からの照射光に対して映像信号に応じた光変調を行い得るのである。なお、液晶表示パネル１０の光の入射側および出射側のそれぞれには、ＴＦＴ基板１１および対向基板１２を保護するためのカバーガラス１３が設けられている。
【００１６】
ただし、液晶表示パネル１０では、高精細化、高開口化、低コスト化等の要求に応えるべく、ＴＦＴ基板１１および対向基板１２における各電極に電圧を印加してその液晶表示パネル１０を駆動するための駆動回路が、その液晶表示パネルに内蔵されておらずに外付けされている。すなわち、液晶表示パネル１０では、上位装置（例えば、液晶プロジェクタ装置の制御部）からの信号供給等を受けるためのフレキシブルなフィルム基板１４に加えて、液晶表示パネル１０を駆動する駆動回路としての機能を有した駆動用ＩＣ１５が、その液晶表示パネル１０を構成するＴＦＴ基板１１上に設けられている。そして、駆動用ＩＣ１５がＴＦＴ基板１１および対向基板１２における各電極と電気的に接続しており、これにより液晶表示パネル１０が駆動されることになる。なお、駆動用ＩＣ１５は、ＴＦＴ基板１１上ではなく、対向基板１２上に配設されていてもよい。すなわち、液晶表示パネル１０を構成するいずれかの基板上に配設されていればよい。これらフィルム基板１４および駆動用ＩＣ１５の詳細については、公知技術を利用して実現すればよいため、ここではその説明を省略する。
【００１７】
このように、液晶表示装置は、液晶表示パネル１０とは別に駆動用ＩＣ１５が設けられており、しかもその駆動用ＩＣ１５が液晶表示パネル１０を構成するいずれかの基板上に設けられている、いわゆるチップ・オン・グラス（以下「ＣＯＧ」と略す）構造のものである。このＣＯＧ構造によれば、駆動用ＩＣ１５が液晶表示パネル１０とは別体のため、その液晶表示パネル１０における有効画素エリアの増大化や同一基板から取得できる液晶表示パネル１０部分の数を増加等が容易に可能となり、これにより液晶表示装置の高精細化、高開口化、低コスト化等が実現可能となる。しかも、駆動用ＩＣ１５が例えばＴＦＴ基板１１上、すなわち各電極の極近傍に配されることで、液晶表示パネル１０を駆動する際の応答性等に優れたものとなり、また駆動用ＩＣ１５が振動等の影響を受けることも軽減でき、これらの点により安定した駆動動作が実現可能となる。
【００１８】
ところで、ここで説明する液晶表示装置は、駆動用ＩＣ１５、その駆動用ＩＣ１５が配設された基板、およびその基板に接続するフィルム基板１４が、以下に述べるような大きな特徴点を有している。なお、ここでは、駆動用ＩＣ１５がＴＦＴ基板１１上に配設され、そのＴＦＴ基板１１にフィルム基板１４が接続されている場合を例に挙げて、以下の説明を行う。
【００１９】
駆動用ＩＣ１５は、例えば図４に示すように、複数のバンプ１６を介してＴＦＴ基板１１上にフリップチップ接続されるとともに、その接続部分に異方性導電接続用ペースト（ＮＣＰ；Non Conductive Paste）、異方性導電接続用フィルム（Anisotropic Conductive Film；ＡＣＦ）または異方性導電接続用ペースト（Anisotropic Conductive Paste；ＡＣＰ）等といったアンダーフィル剤１７が充填されたものであるが、その複数のバンプ１６のうちの少なくとも１つがダミーバンプ１６ａとなっている。「ダミーバンプ」とは、駆動用ＩＣ１５による液晶表示パネル１０の駆動には必要のないバンプ、すなわち駆動用ＩＣ１５とは電気的に接続されていなくともよいバンプのことをいう。なお、ダミーバンプ１６ａは、少なくとも１つあればよく、複数設けられていてもよいことは勿論である。
【００２０】
また、このような駆動用ＩＣ１５が配設されるＴＦＴ基板１１には、駆動用ＩＣ１５におけるバンプ１６の配設ピッチに対応して複数のパッド（以下、このパッドを「第１パッド」という）１８が設けられており、その第１パッド１８を介して駆動用ＩＣ１５が、液晶表示パネル１０と電気的に接続するようになっている。すなわち、ＴＦＴ基板１１に設けられた第１パッド１８は、液晶表示パネル１０を駆動するための電極端子として機能するものである。ただし、これら複数の第１パッド１８のうちの少なくとも１つは、ダミーパッド１８ａとなっており、そのダミーパッド１８ａ上に駆動用ＩＣ１５のダミーバンプ１６ａが接続されるようになっている。「ダミーパッド」とは、ダミーバンプと同様に液晶表示パネルの駆動に必要のないパッドのことをいうが、放熱手段としての機能を有しているものとする。「放熱手段としての機能」とは、ダミーパッド１８ａが熱伝導性を有しており、そのダミーパッド１８ａにおける熱を当該ダミーパッド１８ａの周辺大気や接触部材（例えば、フィルム基板１４）等に移動させ得ることをいう。なお、ダミーパッド１８ａも、ダミーバンプ１６ａと同様に、少なくとも１つあればよく、複数設けられていてもよい。また、必ずしもダミーバンプ１６ａに対応した数だけ設けられている必要はなく、複数のダミーバンプ１６ａが一つのダミーパッド１８ａに接続されていてもよい。
【００２１】
さらに、ＴＦＴ基板１１には、第１パッド１８に加えて、その第１パッド１８と電気的に接続する他のパッド（以下、このパッドを「第２パッド」という）１９が設けられており、その第２パッド１９を介してＴＦＴ基板１１にフィルム基板１４が接続されている。つまり、フィルム基板１４は、第１パッド１８および第２パッド１９を介して駆動用ＩＣ１５と電気的に接続するのである。
【００２２】
これら第１パッド１８および第２パッド１９としては、いずれも、下から順にアルミニウム（Ａｌ）層、遮光（ＢＬＫ）層および透明電極（ＩＴＯ）層が積重されてなるものが例に挙げられる。その場合に、第１パッド１８と第２パッド１９との間の接続は、図例のようにＡｌ層のみを介して行うことが一般的であるが、ＢＬＫ層のみを介して行っても、あるいはＩＴＯ層のみを介して行ってもよい。また、これら複数の層のうちの２つ以上または全てを介して行ってもよい。
【００２３】
そして、第２パッド１９についても、第１パッド１８の場合と同様に、そのうちの少なくとも１つがダミーパッド１９ａとなっている。
【００２４】
また、フィルム基板１４は、第２パッド１９の配設ピッチに対応して並設された複数のリード１４ａがベースフィルム１４ｂおよびカバーフィルム１４ｃに挟持されてなるもの、すなわちベースフィルム１４ｂ上に形成された複数のリード１４ａがカバーフィルム１４ｃに覆われてなるものであるが、その複数のリード１４ａのうちの少なくとも１つがダミーリード１４ｄとなっており、そのダミーリード１４ｄが第２パッド１９におけるダミーパッド１９ａと接続するようになっている。「ダミーリード」とは、ダミーパッドと同様に、液晶表示パネルの駆動に必要のないリードで、放熱手段としての機能を有したものをいう。なお、ダミーリード１４ｄも、ダミーバンプ１６ａまたはダミーパッド１８ａ，１９ａと同様に、少なくとも１つあればよく、複数設けられていてもよい。また、必ずしもダミーパッド１９ａに対応した数だけ設けられている必要はなく、複数のダミーパッド１９ａが一つのダミーリード１４ｄに接続されていてもよい。
【００２５】
以上のことから、ここで説明した液晶表示装置によれば、駆動用ＩＣ１５におけるダミーバンプ１６ａが、ＴＦＴ基板１１上で放熱手段として機能するダミーパッド１８ａ，１９ａに接続され、さらにはフィルム基板１４上で放熱手段として機能するダミーリード１４ｄに接続されているため、駆動用ＩＣ１５で生じた熱が、ダミーバンプ１６ａを通じてダミーパッド１８ａ，１９ａに移動し、さらにダミーリード１４ｄに移動して、これらダミーパッド１８ａ，１９ａおよびダミーリード１４ｄから放熱されることになる。つまり、駆動用ＩＣ１５では、フリップチップ実装の際の実装バランス等を考慮してダミーバンプ１６ａを設けることが一般的であるが、そのダミーバンプ１６ａに直接または間接的に接続するダミーパッド１８ａ，１９ａおよびダミーリード１４ｄを放熱手段として利用しつつ、駆動用ＩＣ１５で生じた熱を逃がすのである。
【００２６】
したがって、液晶プロジェクタ装置にて用いられる場合に、高精細化、高開口化、低コスト化等の要求に応えるべく、ＣＯＧ構造によって液晶表示装置を構成しても、ダミーパッド１８ａ，１９ａおよびダミーリード１４ｄからの放熱によって駆動用ＩＣ１５における温度上昇を抑制し得るようになるので、温度上昇に起因する駆動用ＩＣ１５の誤動作を招いてしまうことがない。また、その誤動作による液晶表示パネル１０での不適切な光変調、すなわち表示画像の画質劣化を招いてしまうことがなく、さらには駆動用ＩＣ１５から液晶表示パネル１０への伝熱による表示画像の画質劣化も抑制し得るようになる。これらのことから、ここで説明した液晶表示装置では、液晶表示パネル１０の駆動回路として機能する駆動用ＩＣ１５の信頼性向上を図ることができるとともに、液晶表示装置自体の信頼性向上をも図ることができる。しかも、特段の構成要素の大幅増加等も不要なため、装置コストの上昇等を招くことなく、その信頼性向上が実現可能となる。
【００２７】
なお、ＴＦＴ基板１１において、ダミーパッド１８ａ，１９ａは、そのＴＦＴ基板１１における複数のパッド１８，１９の中で基板端側に位置していることが望ましい。駆動用ＩＣ１５におけるダミーバンプ１６ａも、その駆動用ＩＣ１５の端側に寄せて配されていることが多く、またダミーパッド１８ａ，１９ａを端側に寄せて配すれば、そのダミーパッド１８ａ，１９ａによる放熱効果の向上が期待できるからである。さらには、複数のパッド１８，１９の中で最も端のものをダミーパッド１８ａ，１９ａとすれば、そのダミーパッド１８ａ，１９ａの平面的な面積（駆動用ＩＣ１５の側からみた面積）を、複数のパッド１８，１９のうちの他のものよりも大きくすることが容易となるからである。このような形状でダミーパッド１８ａ，１９を形成すれば、より一層の放熱効果の向上が期待できる。
【００２８】
また、これと同様に、フィルム基板１４において、ダミーリード１４ｄは、そのフィルム基板１４における複数のリード１４ａの中で端側に位置していることが望ましい。ダミーリード１４ｄを端側に寄せて配すれば、以下のような構成が実現可能になるからである。
【００２９】
すなわち、複数のリード１４ａの中で最も端のものをダミーリード１４ｄとすれば、例えば図４（ｂ）に示すように、そのダミーリード１４ｄの線幅を、複数のリード１４ａのうちの他のものよりも太くして、そのダミーリード１４ｄにおける面積を他のリード１４ａより大きくすることが容易となる。このような形状でダミーリード１４ｄを形成すれば、そのダミーリード１４ｄにおける放熱手段としての機能を十分に確保しつつ、その機能向上を図ることが容易に実現可能となる。つまり、駆動用ＩＣ１５に対する放熱を行う上で非常に好適となる。
【００３０】
また、単に線幅を一律に太くするだけではなく、他のリード１８と同じ太さの部分と他のリード１８よりも太い部分とが混在するように、すなわち平均の線幅が大きくなるように、ダミーリード１４ｄを形成することも考えられる。このように形成した場合には、ダミーリード１４ｄの平均線幅を大きくして放熱効果の向上を図りつつ、フィルム基板１４の配置、リードレイアウト、駆動用ＩＣ１５のバンプ位置等に制約にも柔軟に対応し得るようになる。
【００３１】
さらに、ダミーリード１４ｄについては、その平均線幅を大きくして放熱効果の向上を図るのに加えて、あるいは平均線幅を大きくすることとは別に、そのダミーリード１４ｄの部分がカバーフィルム１４ｃに覆われないようにすることも考えられる。すなわち、例えば図４（ｂ）に示すように、ダミーリード１４ｄを除く他のリード１４ａのみがカバーフィルム１４ｃに覆われるようにする。このようにすれば、ダミーリード１４ｄは、カバーフィルム１４ｃに覆われずに露出することになるので、放熱手段としての機能をより一層効果的なものとすることができる。また、ダミーリード１４ｄが露出していれば、そのダミーリード１４ｄに液晶プロジェクタ装置の送風ファンによる冷却風を当てて、更なる放熱効果を得ることも実現可能となる。つまり、ダミーリード１４ｄがカバーフィルム１４ｃに覆われずに露出するようにしても、駆動用ＩＣ１５に対する放熱を行う上で非常に好適となる。しかも、このことは、ダミーリード１４ｄを端側に寄せて配することで、その実現が非常に容易となる。
【００３２】
次に、本発明に係る液晶表示装置の他の例について説明する。図５〜６は、本発明に係る液晶表示装置の他の要部構成例を示す説明図である。
【００３３】
ここで説明する液晶表示装置では、例えば図５に示すように、液晶表示パネル１０を支持するための支持部材であるフレーム２０が、フィルム基板１４におけるダミーリード１４ｄとの接触箇所を有している。すなわち、フィルム基板１４は、フレーム２０の位置に対応する箇所がカバーフィルム１４ｃに覆われておらず、その箇所にてダミーリード１４ｄがフレーム２０に当接（接触）するようになっている。
【００３４】
また、例えば図６に示すように、液晶表示パネル１０の有効画素部分以外への光の入射を遮るための遮光板３０が、フィルム基板１４におけるダミーリード１４ｄとの接触箇所を有していてもよい。すなわち、フィルム基板１４は、遮光板３０の端縁近傍部分に対応する箇所がカバーフィルム１４ｃに覆われておらず、その箇所にてダミーリード１４ｄが遮光板３０に当接（接触）するようになっている。
【００３５】
このような当接箇所を有していれば、駆動用ＩＣ１５で発生した熱を、ダミーバンプ１６ａ、ダミーパッド１８ａ，１９ａおよびダミーリード１４ｄを通じて、フレーム２０または遮光板３０のいずれかへ伝え得るようになる。したがって、ダミーパッド１８ａ，１９ａおよびダミーリード１４ｄに加えて、フレーム２０または遮光板３０を放熱手段として利用して、駆動用ＩＣ１５で発生した熱を放熱することができるようになる。したがって、更なる駆動用ＩＣ１５の温度上昇の抑制が可能となり、その駆動用ＩＣ１５における誤動作防止の確実化が図れるようになる。
【００３６】
このとき、ダミーリード１４ｄとフレーム２０または遮光板３０との間には、熱伝導性樹脂５０が介在しており、その熱伝導性樹脂５０を介して駆動用ＩＣ１５からフレーム２０または遮光板３０への熱移動が行われることが望ましい。熱伝導性樹脂５０を介して熱移動を行えば、フィルム基板１４とフレーム２０または遮光板３０との間の線膨張係数が互いに異なる場合であっても、これらの間の熱歪み量の違いを熱伝導性樹脂５０の弾性で吸収することができるので、当接箇所の剥離等が生じてしまうことがなく、駆動用ＩＣ１５で発生した熱を確実にフレーム２０または遮光板３０に移動させ得るようになるからである。このような熱伝導性樹脂５０としては、アクリル系ゴムまたはエチレンプロピレン系ゴムをベースにした熱伝導シート（例えば、エフコ社製ＴＭシートＥＰ）や、絶縁性高熱伝導樹脂材（例えばメレコ（MERECO）社製ＣＮ−７３３）等を用いて形成されたものが挙げられる。
【００３７】
なお、上述した実施の形態では本発明について好適な具体例を挙げて説明したが、本発明はその要旨を逸脱しない範囲で適宜変更が可能であることは勿論である。特に、ダミーパッドやダミーリードの大きさ、形状等については、上述した実施の形態に限定されるものではない。
【図面の簡単な説明】
【００３８】
【図１】三板式の液晶プロジェクタ装置の概略構成例を示す模式図である。
【図２】本発明に係る液晶表示装置の構成例を示す説明図（その１）であり、その概略構成の分解斜視図である。
【図３】本発明に係る液晶表示装置の構成例を示す説明図（その２）であり、その概略構成の一例の側断面図である。
【図４】本発明に係る液晶表示装置の構成例を示す説明図（その３）であり、その要部構成の一例の側断面図および拡大斜視図である。
【図５】本発明に係る液晶表示装置の他の構成例を示す説明図（その１）であり、その要部構成の一例の側断面図である。
【図６】本発明に係る液晶表示装置の他の構成例を示す説明図（その２）であり、その要部構成の変形例の側断面図である。
【符号の説明】
【００３９】
１…光源、２ａ…フィルタ、２ｂ…フライアイレンズ、２ｃ…ＰＳ分離合成器、３…ダイクロイック・ミラー、４…全反射ミラー、５…コンデンサー・レンズ、６Ｒ，６Ｇ，６Ｂ…液晶表示装置、７…ダイクロイック・プリズム、８…投写レンズ、１０…液晶表示パネル、１１…ＴＦＴ基板、１２…対向基板、１３…カバーガラス、１４…フィルム基板、１４ａ…リード、１４ｂ…ベースフィルム、１４ｃ…カバーフィルム、１４ｄ…ダミーリード、１５…駆動用ＩＣ、１６…バンプ、１６ａ…ダミーバンプ、１７…アンダーフィル剤、１８，１９…パッド、１８ａ，１９ａ…ダミーパッド、２０…フレーム、３０…遮光板、５０…熱伝導性樹脂
【図１】
2006018136.tif 000003
【図２】
2006018136.tif 000004
【図３】
2006018136.tif 000005
【図４】
2006018136.tif 000006
【図５】
2006018136.tif 000007
【図６】
2006018136.tif 000008